Podtech/llm-jp-corpus-v4-ja_patent huggingface dataset:
【手続補正書】
【提出日】平成20年3月26日(2008.3.26)
【手続補正１】
【補正対象書類名】明細書
【補正対象項目名】特許請求の範囲
【補正方法】変更
【補正の内容】
【特許請求の範囲】
【請求項１】  コンピュータを、
強弱パラメータを有するキャラクターデータを記憶する記憶手段と、
前記キャラクターデータからプレーヤが選択可能なキャラクターデータを複数設定する選択キャラクターデータ設定手段と、
前記選択キャラクターデータ設定手段で設定された選択キャラクターデータから比較キャラクターデータを決定する決定手段と、
前記キャラクターデータから対象キャラクターデータを前記比較キャラクターデータと比較される順番を関連付けて複数設定する対象キャラクターデータ設定手段と、
前記選択キャラクターデータ設定手段及び前記対象キャラクターデータ設定手段により設定された選択キャラクターデータ及び対象キャラクターデータから任意の数のキャラクターデータを抽出し、前記選択キャラクターデータ及び前記対象キャラクターデータに基づいてキャラクター画像を生成する画像生成手段と、
前記決定手段により前記比較キャラクターデータが決定された際に前記比較キャラクターデータの強弱パラメータと対象キャラクターデータ設定手段により、順番が１番に設定された対象キャラクターの強弱パラメータを比較する比較する比較手段と、
前記比較手段の結果に基づきゲーム結果を演算するゲーム結果演算手段として機能させるためのゲームゲームプログラム。
【請求項２】  請求項１記載のゲームプログラムにおいて、前記比較手段により比較キャラクターデータの方が強いと判定したとき、前記対象キャラクターデータ設定手段は、コンピュータに前記対象キャラクターデータから順番が１番に設定された対象キャラクターデータを除外し、新たに対象キャラクターデータを設定する機能を実現させることを特徴とするゲームプログラム。
【請求項３】  請求項１記載のゲームプログラムにおいて、前記比較手段により比較キャラクターデータの方が強いと判定したとき、前記対象キャラクターデータ設定手段は、コンピュータに前記対象キャラクターデータから順番が１番に設定された対象キャラクターデータを除外し、前記画像生成手段により画像が生成されている残りの対象キャラクターデータの順序を変えずに順番をシフト機能を実現させることを特徴とするゲームプログラム。
【請求項４】  請求項１乃至３記載のゲームプログラムにおいて、前記比較手段により前記比較キャラクターデータの強弱パラメータと対象キャラクターデータの強弱パラメータが同じであったとき、前記対象キャラクターデータ設定手段は、コンピュータに前記対象キャラクターデータ設定手段で設定された対象キャラクターデータを複数個消去し、新たに対象キャラクターデータを設定する機能を実現させることを特徴とするゲームプログラム。
【請求項５】  請求項１乃至３記載のゲームプログラムにおいて、前記比較手段により前記比較キャラクターデータの強弱パラメータと対象キャラクターデータの強弱パラメータが同じであったとき、前記対象キャラクターデータ設定手段は、コンピュータに前記対象キャラクターデータ設定手段で設定された対象キャラクターデータを複数個消去し、前記画像生成手段により画像が生成されている残りの対象キャラクターデータの順序を変えずにシフトする機能を実現させることを特徴とするゲームプログラム。
【請求項６】  請求項１乃至５記載のゲームプログラムにおいて、前記決定手段により比較キャラクターデータが決定されたとき、前記選択キャラクターデータ設定手段は、コンピュータに前記選択キャラクターデータから当該比較キャラクターデータとして選択されたデータを除外し、選択キャラクターデータを新たに設定する機能を実現させることを特徴とするゲームプログラム。
【請求項７】  請求項１乃至５記載のゲームプログラムにおいて、前記決定手段により比較キャラクターデータが決定されたときに、前記選択キャラクターデータ設定手段は、コンピュータに前記選択キャラクターデータから当該比較キャラクターデータとして選択されたデータを除外し、前記画像生成手段により画像が生成された残りの選択キャラクターデータの順序を変えずにシフトする機能を実現させることを特徴とするゲームプログラム。
【請求項８】  請求項１乃至７記載のゲームプログラムにおいて、前記画像生成手段は、コンピュータに前記選択キャラクターデータを選択可能な順番に列の表示を行い、前記決定手段により比較キャラクターデータが決定されたとき、当該比較キャラクターの列の１番目の選択キャラクターデータを消去し、当該列の最後尾に新たな選択キャラクターを追加する機能を実現させることを特徴とするゲームプログラム。
【請求項９】  請求項８記載のゲームプログラムにおいて、前記画像生成手段は、コンピュータに前記決定手段により比較キャラクターデータが決定されたときに列の最後尾に追加される選択キャラクターを比較キャラクター決定前に予告表示する機能を実行させることを特徴とするゲームプログラム。
【請求項１０】  請求項１乃至９記載のゲームプログラムにおいて、ゲームクリア判定手段を有し、前記ゲームクリア判定手段は、コンピュータに前記選択キャラクターデータ設定手段で設定される選択キャラクターデータの上限数を設定し、前記上限数以内の選択キャラクターを用いて、所定数の対象キャラクターデータを消去した場合にゲームクリアしたと判定する機能を実現させることを特徴とするゲームプログラム。
【請求項１１】  請求項１乃至１０記載のゲームプログラムにおいて、ゲーム時間設定手段を有し、前記ゲーム時間設定手段は、コンピュータにゲーム開始からの時間を計時し、ゲーム時間の制御をする機能を実行させることを特徴とするゲームプログラム。
【請求項１２】  強弱パラメータを有するキャラクターデータを記憶する記憶手段と、
前記キャラクターデータからプレーヤが選択可能なキャラクターデータを複数設定する選択キャラクターデータ設定手段と、
前記選択キャラクターデータ設定手段で設定された選択キャラクターデータから比較キャラクターデータを決定する決定手段と、
前記キャラクターデータから対象キャラクターデータを前記比較キャラクターデータと比較される順番を関連付けて複数設定する対象キャラクターデータ設定手段と、
前記選択キャラクターデータ設定手段及び前記対象キャラクターデータ設定手段により設定された選択キャラクターデータ及び対象キャラクターデータから任意の数のキャラクターデータを抽出し、前記選択キャラクターデータ及び前記対象キャラクターデータに基づいてキャラクター画像を生成する画像生成手段と、
前記決定手段により前記比較キャラクターデータが決定された際に前記比較キャラクターデータの強弱パラメータと対象キャラクターデータ設定手段により、順番が１番に設定された対象キャラクターの強弱パラメータを比較する比較する比較手段と、
前記比較手段の結果に基づきゲーム結果を演算するゲーム結果演算手段を有することを特徴とするゲーム装置。
【手続補正書】
【提出日】平成20年2月21日(2008.2.21)
【手続補正１】
【補正対象書類名】明細書
【補正対象項目名】特許請求の範囲
【補正方法】変更
【補正の内容】
【特許請求の範囲】
【請求項１】  複数種の絵柄が周方向に付された複数の周回体と、
前記各周回体について各絵柄のうち一部の絵柄を視認可能とする表示部と、
前記各周回体の回転を開始させるべく操作される始動操作手段と、
前記始動操作手段の操作を条件の１つとして役の抽選を行う抽選手段と、
前記周回体毎に設けられ、該各周回体を回転させる駆動手段と、
前記各周回体の回転を個別に停止させるべく操作される複数の停止操作手段と、
前記始動操作手段の操作に基づいて前記各周回体の回転を開始させ、前記各停止操作手段の操作に基づいて対応する前記周回体の回転を停止させるように、且つ前記役の抽選に当選した場合には、役と対応する絵柄又は絵柄の組合せが前記表示部から視認できる有効位置に停止し得るよう前記各駆動手段を駆動制御する駆動制御手段と、
前記各周回体が所定絵柄又は所定絵柄の組合せで前記有効位置に停止した場合に、遊技媒体を払い出す払出手段と、
前記各周回体が予め定めた特定絵柄の組合せで前記有効位置に停止した場合に、遊技状態を遊技者に有利な特別遊技状態に移行させる特別遊技状態移行手段と、
前記特別遊技状態中に前記払出手段によって払い出された遊技媒体の数が、所定絵柄又は所定絵柄の組合せが前記有効位置に停止した場合に前記払出手段によって払い出される遊技媒体数よりも多い数として予め定めた上限値に達した場合に、前記特別遊技状態を終了させる特別遊技状態終了手段と、
を備えていることを特徴とする遊技機。
【請求項２】  前記上限値に達した場合の前記払出手段による遊技媒体のすべての払出が有効とされ、前記特別遊技状態終了手段は、前記払出手段による遊技媒体の払出しが完了した場合に前記特別遊技状態を終了させることを特徴とする請求項１に記載の遊技機。
【請求項３】  特別図柄の組合せが複数種設定されているとともに、前記上限値が複数種設定されており、
前記抽選手段による抽選処理によって前記特別図柄の組合せの種類が決定されるとともに、前記特別図柄の組合せの種類に応じて上限値が個々に設定されていることを特徴とする請求項１又は２に記載の遊技機。
【請求項４】  前記周回体とは別に設けられるとともに、少なくとも数値表示を行う補助表示部と、
前記特別遊技状態中における遊技媒体の払出総数、又は上限値から前記特別遊技状態中における現在までの遊技媒体の払出数を減算した数、のいずれかを前記補助表示部に表示させる表示制御手段と、
を備えていることを特徴とする請求項１乃至３のいずれか１項に記載の遊技機。
【手続補正書】
【提出日】平成20年3月27日(2008.3.27)
【手続補正１】
【補正対象書類名】明細書
【補正対象項目名】特許請求の範囲
【補正方法】変更
【補正の内容】
【特許請求の範囲】
【請求項１】  
図柄等の識別情報を表示する表示装置と、その表示装置に識別情報の動的表示を行わせる制御手段とを備え、前記識別情報の動的表示が予め定めた表示結果を導出した場合に、所定の遊技価値を付与する遊技機において、
前記識別情報の動的態様によって所定の遊技価値の付与を示唆する特定表示態様を発生可能な第１特定態様発生表示と、前記識別情報の停止態様によって所定の遊技価値の付与を示唆する特定表示態様を発生可能な第２特定態様発生表示とを備えていることを特徴とする遊技機。
【請求項２】  
前記第１特定態様発生表示は、前記識別情報の動的表示の結果によって生じる表示状態であり、
前記第２特定態様発生表示は、前記識別情報を視覚的に識別可能な状態においてその表示態様の変更された識別情報を含む表示状態であることを特徴とする請求項１記載の遊技機。
【請求項３】  
前記第１特定態様発生表示と前記第２特定態様発生表示とは前記表示装置において同一画面上に表示可能であることを特徴とする請求項１または２に記載の遊技機。
【請求項４】  
前記表示装置に表示される第１特定態様発生表示と第２特定態様発生表示とに基づいて、付与される所定の遊技価値が変化することを特徴とする請求項１から３のいずれかに記載の遊技機。
【手続補正２】
【補正対象書類名】明細書
【補正対象項目名】０００６
【補正方法】変更
【補正の内容】
【０００６】
【課題を解決するための手段】  この目的を達成するために請求項１記載の遊技機は、図柄等の識別情報を表示する表示装置と、その表示装置に識別情報の動的表示を行わせる制御手段とを備え、前記識別情報の動的表示が予め定めた表示結果を導出した場合に、所定の遊技価値を付与するものであり  前記識別情報の動的態様によって所定の遊技価値の付与を示唆する特定表示態様を発生可能な第１特定態様発生表示と、前記識別情報の停止態様によって所定の遊技価値の付与を示唆する特定表示態様を発生可能な第２特定態様発生表示とを備えている。
請求項２記載の遊技機は、請求項１記載の遊技機において、前記第１特定態様発生表示は、前記識別情報の動的表示の結果によって生じる表示状態であり、前記第２特定態様発生表示は、前記識別情報を視覚的に識別可能な状態においてその表示態様の変更された識別情報を含む表示状態である。なお、第１特定態様発生表示または第２特定態様発生表示により発生可能な特定表示態様としては大当たり、リーチ、スーパーリーチなどの状態が挙げられる。
請求項３記載の遊技機は、請求項１または２に記載の遊技機において、前記第１特定態様発生表示と前記第２特定態様発生表示とは前記表示装置において同一画面上に表示可能である。
請求項４記載の遊技機は、請求項１から３のいずれかに記載の遊技機において、前記表示装置に表示される第１特定態様発生表示と第２特定態様発生表示とに基づいて、付与される所定の遊技価値が変化するものである。
【手続補正３】
【補正対象書類名】明細書
【補正対象項目名】０１６９
【補正方法】変更
【補正の内容】
【０１６９】
【発明の効果】  請求項１記載の遊技機によれば、動的表示の結果の予見が困難な識別情報の停止態様によって、所定の遊技価値の付与を示唆する特定表示態様を発生可能な第２特定態様発生表示を備えているので、動的表示の表示結果が導出される前に遊技者による動的表示の結果の予見を困難にして、遊技の期待感を高めて、その興趣を維持させることができるという効果がある。
請求項２記載の遊技機によれば、請求項１記載の遊技機の奏する効果に加え、第１特定態様発生表示を動的表示の結果によって生じる表示状態とし、第２特定態様発生表示を識別情報の表示態様が変更される表示状態とすることで、演出を多様化することができるので、識別情報の動的表示による演出が単調とならず、遊技者を飽きさせないという効果がある。加えて、第１特定態様発生表示および第２特定態様発生表示の演出は遊技者が容易に理解できるものであるので、演出される第１特定態様発生表示および第２特定態様発生表示により、大当たり、リーチ、スーパーリーチなどの特定表示態様を遊技者に報知することができるという効果がある。
請求項３記載の遊技機によれば、請求項１または２に記載の遊技機の奏する効果に加え、第１特定態様発生表示と第２特定態様発生表示という異なる演出が組み合わされた多様な演出を遊技者に提供することができるので、遊技者を飽きさせないという効果がある。
請求項４記載の遊技機によれば、請求項１から３のいずれかに記載の遊技機の奏する効果に加え、第１特定態様発生表示と第２特定態様発生表示とに基づいて遊技価値を変化させれば、第１特定態様発生表示や第２特定態様発生表示により発生可能な特定表示態様に対応づけて様々な遊技価値を提供することができる。よって、遊技の演出の単調化を防止し、ゲームに多様性を持たせることができるので、遊技者の興趣を高め遊技に熱中させることができるという効果がある。
【手続補正書】
【提出日】平成20年2月27日(2008.2.27)
【手続補正１】
【補正対象書類名】明細書
【補正対象項目名】特許請求の範囲
【補正方法】変更
【補正の内容】
【特許請求の範囲】
【請求項１】 ボウル部の上部の内側壁面に沿って略水平に洗浄水を吐出するリム吐水口を備える洗面器において、前記ボウル部は、  
側面視上面が開放され、前記リム吐水口から吐出した洗浄水を案内する導水路と、  
前記導水路と滑らかに連続して形成し、前記導水路から分かれた分流洗浄水を案内する分流洗浄水導水路とを備えたことを特徴とする洗面器。  
【請求項２】 前記導水路が、洗面器本体とは別体であることを特徴とする請求項１記載の洗面器。  
【請求項３】 前記導水路が前記上部の全周に設けることを特徴とする請求項１から２のいずれか記載の洗面器。  
【請求項４】 前記リム吐水口を複数設けたことを特徴とする請求項１から３のいずれか記載の洗面器。  
【請求項５】 前記リム吐水口から吐出する洗浄水に空気を強制的に混入する空気混入手段を設けたことを特徴とする請求項１から４のいずれか記載の洗面器。  
【請求項６】 前記導水路の上方に、水跳ねを防止する水跳ね防止部を設けたことを特徴とする請求項１から５のいずれか記載の洗面器。  
【請求項７】 前記水跳ね防止部が、洗面器本体とは別体であることを特徴とする請求項６記載の洗面器。
【手続補正書】
【提出日】平成20年2月12日(2008.2.12)
【手続補正１】
【補正対象書類名】明細書
【補正対象項目名】０００５
【補正方法】変更
【補正の内容】
【０００５】
また、施工現場における要請は、キッチンの前面側から化粧板１０を傾けることなく垂直に立てた状態のままで壁に向かって押し込み取り付けできることであった。
その理由は、例えば図８の右側に殆ど隙間がなく内壁などが存在すれば化粧板１０を傾けて掛止金具５０の引掛片５０ｂをサイドガード３０に入り込ませることができなくなるからである。
また、特に図７に示すように、化粧板を長尺としてウォールキャビネットの側面を含めて天井にまで達するようなサイズのものを採用しようとすると、壁面上部のウォールキャビネットにぶつかって化粧板を傾ける余地がなく取り付けできないからである。
【手続補正２】
【補正対象書類名】明細書
【補正対象項目名】００１４
【補正方法】変更
【補正の内容】
【００１４】
図５、図６は被掛止部７の別の実施態様を示すもので、スロット３２ａ、３２ａを垂下面３２に窓穴として構成したものを示すものである。
このような構成とすることもできるが、掛止具５の取り付け位置や施工現場での作業精度が要求されることになる。この場合はスライドさせて潜り込ませる側の翼片５２を長くして垂下面３２の内面への接合面積を広げれば、二つの掛止具５、５で十分な掛止手段となる。
【手続補正書】
【提出日】平成20年1月28日(2008.1.28)
【手続補正１】
【補正対象書類名】明細書
【補正対象項目名】０００３
【補正方法】変更
【補正の内容】
【０００３】
流動層反応器に用いる触媒の粒径分布に関する従来技術は、おおよそ４種類に分類できる。第１の方法は触媒の全粒径範囲を規定するもので、例えば、特公昭５０−２４９４１号公報においては、アンチモンを含有するアンモ酸化または酸化触媒の粒子の大きさが１ないし５００μｍであることが望ましいと記述されている。しかし、この方法は概略の目安を与えるに過ぎず、これだけでは十分な効果が得られない。第２の方法は全粒径範囲を細分して各々の区分における粒子含有率を規定するもので、例えば特公昭６０−１３７４６号公報においては３５０μｍを超える大きな粒子を含む触媒の粒径範囲を８つの区分に分けて各々の区分内の粒子量を特定の比率にすることが提案されている。このような方法は厳密であるが、粒径分布を調整するための労力、コストが大きく実用的には極めて大きな問題がある。
【手続補正２】
【補正対象書類名】明細書
【補正対象項目名】０００６
【補正方法】変更
【補正の内容】
【０００６】
第４の方法は極めて微細な粒子を少量含有させるもので、例えば、特開９−１８７６４１号公報には無水マレイン酸等の製造に際して、粒径が１０μｍ以下の微粒子を反応器内の粒子に対し、運転期間中、１日当たりに平均して１０ｐｐｍ以上添加することが開示されている。しかし、１０μｍ以下の微粒子は付着生が強いため大型反応器においては反応器全体に均一に分散させ、かつ一定の割合に維持することは容易ではなく、実際の運転操作に適用するには非常に困難を伴う。以上の如く、粒径分布に関する従来技術は何れも効果が不十分であったり、実際の操作に困難を伴い、多大の労力を要するなど満足のいく技術の確立には至っていない状況にある。
【手続補正書】
【提出日】平成19年12月27日(2007.12.27)
【手続補正１】
【補正対象書類名】明細書
【補正対象項目名】特許請求の範囲
【補正方法】変更
【補正の内容】
【特許請求の範囲】
【請求項１】
ポリフッ化ビニリデン樹脂より成る中空糸の内外表面及び微細孔表面がエチレン−ビニルアルコール共重合体により被覆されてなる中空糸膜の製造方法であって、該中空糸にアルカリ処理を行った後にエチレン−ビニルアルコール共重合体により被覆して、被覆量が１〜５ｗｔ％、平均孔径０．０５μｍ以上１μｍ以下、空孔率４０％以上９０％以下の多孔性中空糸複合膜を得ることを特徴とする中空糸膜の製造方法。
【請求項２】
前記アルカリ処理を行った中空糸をエチレン−ビニルアルコール共重合体溶液中に浸漬した後乾燥することによってエチレン−ビニルアルコール共重合体を被覆することを特徴とする請求項１に記載の中空糸膜の製造方法。
【手続補正２】
【補正対象書類名】明細書
【補正対象項目名】０００１
【補正方法】変更
【補正の内容】
【０００１】
【発明の属する技術分野】
本発明は、除濁等の濾過用途に好適な緻密な細孔と高い透水性能を持ち、更に耐圧性と耐汚染性にも優れるエチレン−ビニルアルコール共重合体被覆ポリフッ化ビニリデン多孔性中空糸膜の製造方法に関する。
【手続補正３】
【補正対象書類名】明細書
【補正対象項目名】０００５
【補正方法】変更
【補正の内容】
【０００５】
【課題を解決するための手段】
本発明者らは、上記課題を解決するために鋭意研究を重ねた結果、中空糸内外表面及び該微細孔表面をエチレン−ビニルアルコール共重合体により被覆した耐圧性に優れるポリフッ化ビニリデン多孔性中空糸複合膜が上記課題を解決できることを見出し、本発明をなすに至った。
すなわち、本発明は、以下に記載するとおりの中空糸膜の製造方法である。
（１）ポリフッ化ビニリデン樹脂より成る中空糸の内外表面及び微細孔表面がエチレン−ビニルアルコール共重合体により被覆されてなる中空糸膜の製造方法であって、該中空糸にアルカリ処理を行った後にエチレン−ビニルアルコール共重合体により被覆して、被覆量が１〜５ｗｔ％、平均孔径０．０５μｍ以上１μｍ以下、空孔率４０％以上９０％以下の多孔性中空糸複合膜を得ることを特徴とする中空糸膜の製造方法。
（２）前記アルカリ処理を行った中空糸をエチレン−ビニルアルコール共重合体溶液中に浸漬した後乾燥することによってエチレン−ビニルアルコール共重合体を被覆することを特徴とする請求項１に記載の中空糸膜の製造方法。
【手続補正書】
【提出日】平成20年1月15日(2008.1.15)
【手続補正１】
【補正対象書類名】明細書
【補正対象項目名】発明の名称
【補正方法】変更
【補正の内容】
【発明の名称】電力貯蔵装置
【手続補正２】
【補正対象書類名】明細書
【補正対象項目名】特許請求の範囲
【補正方法】変更
【補正の内容】
【特許請求の範囲】
【請求項１】 電力系統に接続された電力貯蔵手段を備えてなる電力貯蔵装置であって、電力貯蔵手段の充電状態を検知する充電状態検知手段と、電力系統に接続された負荷により消費される予測電力消費量の時間変化と電力系統に供給される予定供給電力量の時間変化とを比較することにより、電力貯蔵手段に充電を行う充電時間帯を決める充電時間帯設定手段と、該充電時間帯設定手段により決められた充電時間帯に電力貯蔵手段に対する充電が行われるように充電制御を行う充電制御手段とを備えたことを特徴とする電力貯蔵装置。
【手続補正３】
【補正対象書類名】明細書
【補正対象項目名】０００６
【補正方法】変更
【補正の内容】
【０００６】
【課題を解決するための手段】上記課題を解決するための本発明電力貯蔵装置は、電力系統に接続された電力貯蔵手段を備えてなる電力貯蔵装置であって、電力貯蔵手段の充電状態を検知する充電状態検知手段と、電力系統に接続された負荷により消費される予測電力消費量の時間変化と電力系統に供給される予定供給電力量の時間変化とを比較することにより、電力貯蔵手段に充電を行う充電時間帯を決める充電時間帯設定手段と、該充電時間帯設定手段により決められた充電時間帯に電力貯蔵手段に対する充電が行われるように充電制御を行う充電制御手段とを備えたことを特徴とする電力貯蔵装置である。
【手続補正書】
【提出日】平成20年9月19日(2008.9.19)
【手続補正１】
【補正対象書類名】明細書
【補正対象項目名】特許請求の範囲
【補正方法】変更
【補正の内容】
【特許請求の範囲】
【請求項１】 Ｍ及びＮを１を超える正の整数として、第１から第Ｎ番目までのケーブル（１６）と、第１から第（Ｍ×Ｎ）番目までの超音波トランスジューサ素子（１２）からなるアレイ（１０）と、Ｍ個のトランスジューサ素子からなるそれぞれの組からの出力信号を前記第１から第Ｎ番目までのケーブルのそれぞれ１本に多重化するための第１から第Ｎ番目までの周波数分割多重回路（５２、５４、５６、５８、６０、６４、６６）と、を備え、
前記第１の周波数分割多重回路が、前記第１のトランスジューサ素子の出力信号から導出される信号を受信するように接続した第１の入力と、第１の搬送波周波数を有する第１の波形を受信するように接続した第２の入力とを有する第１の混合器（５６）と、前記第２のトランスジューサ素子の出力信号から導出される信号を受信するように接続した第１の入力と、前記第１の搬送波周波数と異なる第２の搬送波周波数を有する第２の波形を受信するように接続した第２の入力とを有する第２の混合器（５６）と、前記第１及び第２の混合器のそれぞれの出力から導出される第１及び第２の信号を加算するための第１の加算器（６４）と、を備えている、プローブ。
【請求項２】 前記第２の周波数分割多重回路が、前記第３のトランスジューサ素子の出力信号から導出される信号を受信するように接続した第１の入力と、前記第１の搬送波周波数を有する第３の波形を受信するように接続した第２の入力とを有する第３の混合器（５６）と、前記第４のトランスジューサ素子の出力信号から導出される信号を受信するように接続した第１の入力と、前記第２の搬送波周波数を有する第４の波形を受信するように接続した第２の入力とを有する第４の混合器と、前記第３及び第４の混合器のそれぞれの出力から導出される第３及び第４の信号を加算するための第２の加算器と、を備えている、請求項１に記載のプローブ。
【請求項３】 前記第１の周波数分割多重回路が、前記第１の波形を発生させる第１の局部発振器（６０）と、前記第２の波形を発生させる第２の局部発振器（６２）と、を備えている、請求項１に記載のプローブ。
【請求項４】 前記第１の周波数分割多重回路が、前記第１のトランスジューサ素子と前記第１の混合器の間に電気的に結合させた第１の帯域通過フィルタ（５４）と、前記第２のトランスジューサ素子と前記第２の混合器の間に電気的に結合させた第２の帯域通過フィルタ（５４）と、を備えている、請求項１に記載のプローブ。
【請求項５】 前記第１の周波数分割多重回路が、前記第１の混合器と前記第１の加算器の間に電気的に結合させた第１の低域通過フィルタ（５８）と、前記第２の混合器と前記第１の加算器の間に電気的に結合させた第２の低域通過フィルタ（５８’）と、を備えている、請求項１に記載のプローブ。
【請求項６】 前記Ｎ個の周波数分割多重回路の各々が単側波帯で搬送波抑圧の振幅変調を実行するように適合されている、請求項１に記載のプローブ。
【請求項７】 前記Ｎ個の周波数分割多重回路の各々が両側波帯で搬送波抑圧の振幅変調を実行するように適合されている、請求項１に記載のプローブ。
【請求項８】 （Ｎ＋１）番目のケーブル（７４）と、前記第１の搬送波周波数を有する第５の波形を受信する第１の入力、前記第２の搬送波周波数を有する第６の波形を受信する第２の入力、及び前記（Ｎ＋１）番目のケーブルに接続した出力を有する第３の加算器（６８）と、をさらに備える請求項２に記載のプローブ。
【請求項９】 前記第１及び第２の混合器の各々が電界効果トランジスタ・ベースのリング変調器を備える、請求項１に記載のプローブ。
【請求項１０】 生体組織から反射された音響データを収集するための方法であって、複数のトランスジューサ素子の各素子の位置で、反射された超音波エネルギーを電気的アナログ出力信号に変換するステップと、前記複数のトランスジューサ素子からの前記アナログ出力信号を電気導体上に周波数分割多重化するステップと、を含み、
周波数分割多重化する前記ステップが、前記トランスジューサ素子のうちの第１のトランスジューサ素子の出力信号から導出した信号と、第１の搬送波周波数を有する第１の波形とを混合して第１の混合信号を形成するステップと、前記トランスジューサ素子のうちの第２のトランスジューサ素子の出力信号から導出した信号と、前記第１の搬送波周波数と異なる第２の搬送波周波数を有する第２の波形とを混合して第２の混合信号を形成するステップと、前記第１及び第２の混合信号を加算するステップと、を含む方法。
【請求項１１】 周波数分割多重化する前記ステップが単側波帯または両側波帯で搬送波抑圧の振幅変調を含む、請求項１０に記載の方法。
【手続補正書】
【提出日】平成20年9月19日(2008.9.19)
【手続補正１】
【補正対象書類名】明細書
【補正対象項目名】特許請求の範囲
【補正方法】変更
【補正の内容】
【特許請求の範囲】
【請求項１】画像データのフレームを収集するための画像収集サブシステム（２、４、６）と、収集した前記画像データのフレームを記憶するためのメモリ（１６）と、収集した前記画像データのフレームに由来する画像を表示させるための表示サブシステム（１８）と、収集した前記画像データのフレームのうちの１つを選択するためのユーザ操作可能な第１の入力デバイス（２２）と、多数のデータ圧縮レベルのうちの１つを選択するためのユーザ操作可能な第２の入力デバイス（３２）と、選択した前記フレーム内の画像データを選択した前記データ圧縮レベルの関数として圧縮させ圧縮画像データからなるフレームを作成しているデータ圧縮器（３６、３８）と、圧縮画像データからなる前記フレームを表示するように前記表示デバイスを制御するための表示プロセッサ（１４）と、を含むイメージング・システム。
【請求項２】 ハードディスク（２１）と、圧縮画像データからなる前記フレームの前記ハードディスク上への記憶を作動させるためのユーザ操作可能な第３の入力デバイス（２２）と、をさらに含む請求項１に記載のイメージング・システム。
【請求項３】 ネットワーク用ポート（２４）と、圧縮画像データからなる前記フレームの前記ネットワーク用ポートへの送信を作動させるためのユーザ操作可能な第３の入力デバイス（２２）と、をさらに含む請求項１に記載のイメージング・システム。
【請求項４】 前記画像収集サブシステムが超音波トランスジューサ素子からなるアレイ（２）を含む、請求項１に記載のイメージング・システム。
【請求項５】 前記ユーザ操作可能な入力デバイスが回転ダイヤルを含み、
前記回転ダイヤルが、その各々が異なるデータ圧縮レベルに対応した多数の離散的回転位置を有しており、
前記異なるデータ圧縮レベルが一定量の増分で上昇しており、
前記データ圧縮器は、前記回転ダイヤルをある方向に回すと適用する圧縮レベルを上昇させ、かつ前記回転ダイヤルを前記方向と反対方向に回すと適用する圧縮レベルを低下させている、請求項１に記載のイメージング・システム。
【請求項６】 前記データ圧縮器が不可逆的圧縮技法を利用している、請求項１に記載のイメージング・システム。
【請求項７】画像データのフレームを収集するための画像収集サブシステム（２、４、６）と、収集した前記画像データのフレームを記憶するためのメモリ（１６）と、収集した前記画像データのフレームに由来する画像を表示するための表示サブシステム（１８）と、収集した前記画像データのフレームのうちの１つを選択するためのユーザ操作可能な第１の入力デバイス（２２）と、多数のデータ圧縮レベルのうちの１つを選択するためのユーザ操作可能な第２の入力デバイス（３２）と、コンピュータ（２０）であって、選択した前記フレーム内の画像データを選択した前記データ圧縮レベルの関数として圧縮させ圧縮画像データからなるフレームを作成すること、圧縮画像データからなる前記フレームを表示するように前記表示サブシステムを制御すること、を行うようにプログラムされているコンピュータ（２０）と、を含むイメージング・システム。
【請求項８】 前記画像収集サブシステムが超音波トランスジューサ素子からなるアレイ（２）を含み、
前記ユーザ操作可能な入力デバイスが回転ダイヤルを含み、
前記回転ダイヤルが、その各々が異なるデータ圧縮レベルに対応した多数の離散的回転位置を有している、請求項７に記載のイメージング・システム。
【請求項９】 前記データ圧縮のステップが不可逆的圧縮技法を利用している、請求項１０に記載のイメージング・システム。
【請求項１０】画像データからなる第１及び第２のフレームのそれぞれに由来する第１及び第２の画像を連続して表示させるための表示サブシステム（１８）と、データ圧縮レベルを設定するための回転ダイヤル（３２）と、前記第１のフレーム内の画像データを設定した前記データ圧縮レベルの関数として圧縮し画像データの前記第２のフレームを作成しているデータ圧縮器（３６、３８）と、を含むイメージング・システム。
【請求項１１】 前記回転ダイヤルはその各々が異なるデータ圧縮レベルに対応した多数の離散的回転位置を有しており、
前記異なるデータ圧縮レベルが一定量の増分で上昇しており、
前記データ圧縮器は、前記回転ダイヤルをある方向に回すと適用する圧縮レベルを上昇させ、かつ前記回転ダイヤルを前記方向と反対方向に回すと適用する圧縮レベルを低下させており、
前記データ圧縮器が不可逆的圧縮技法を利用している、請求項１０に記載のイメージング・システム。
【請求項１２】画像を連続して表示させるための表示サブシステム（１８）と、データ圧縮レベルを設定するための回転ダイヤル（３２）と、コンピュータ（２０）であって、前記回転ダイヤルを操作して前記データ圧縮レベルを設定する前に、画像データからなる第１のフレームに由来する第１の画像を表示するように前記表示サブシステムを制御すること、前記第１のフレーム内の画像データを設定した前記データ圧縮レベルの関数として圧縮させ圧縮画像データからなる第２のフレームを作成すること、画像データからなる前記第２のフレームに由来する第２の画像を表示するように前記表示デバイスを制御すること、を行うようにプログラムされているコンピュータ（２０）と、を含むイメージング・システム。
【請求項１３】 前記回転ダイヤルはその各々が異なるデータ圧縮レベルに対応した多数の離散的回転位置を有しており、
前記データ圧縮のステップが不可逆的圧縮技法を利用している、請求項１２に記載のイメージング・システム。
【請求項１４】 画像データを記憶させる方法であって、画像データからなる第１のフレームを収集するステップと、操作可能な機構の位置を調整するステップと、前記機構の前記調整した位置の関数としてデータ圧縮レベルを決定するステップと、前記第１のフレーム内の画像データを決定した前記データ圧縮レベルの関数として圧縮させ、画像データからなる第２のフレームを作成するステップと、画像データからなる前記第２のフレームに由来する画像を観察するステップと、画像データからなる前記第２のフレームをハードディスク上に記憶させ、画像データからなる前記第１のフレームは前記ハードディスク上に記憶させないステップと、を含む方法。
【手続補正２】
【補正対象書類名】明細書
【補正対象項目名】００１３
【補正方法】変更
【補正の内容】
【００１３】
したがって、ディジタル画像に対する画像単位での不可逆的圧縮を提供するための方法及び装置が必要とされる。
【特許文献１】米国特許第６５２９６３１号
【手続補正書】
【提出日】平成20年9月17日(2008.9.17)
【手続補正１】
【補正対象書類名】明細書
【補正対象項目名】特許請求の範囲
【補正方法】変更
【補正の内容】
【特許請求の範囲】
【請求項１】その各々が患者（３２）からのＥＣＧ信号を受信することができる（１２８）トランスジューサ（３０）を有する複数のリード線（２８）に接続されているＥＣＧモニタ（１０）であって、該複数のリード線（２８）からのＥＣＧ信号を処理し（１３０）、患者（３２）の心臓状態（１３４）を表すＥＣＧデータを作成する（１３０）プロセッサ（３８）を有しているＥＣＧモニタ（１０）と、前記ＥＣＧモニタ（１０）から患者ＥＣＧデータ（５２）を受信しかつ患者ＥＣＧデータ（５４）をヘルスケア・プロバイダ（１９６）に送信するように結合させたワイヤレス通信インタフェース（５０）と、を備え、
前記プロセッサ（３８）が、ＥＣＧを収集するために支援を要する場合には患者（１８０）にプロンプトを出す（１０６）と共に、こうした場合にヘルスケア・プロバイダ（１９６）へのデータ伝送リンク（１０８）をオープンする（１１０）こと、支援を要しない場合にはＥＣＧ信号を受信しかつ処理し（１１８）、次いで、前記ワイヤレス通信インタフェース（５０）を介して前記ヘルスケア・プロバイダ（１９６）へ前記ＥＣＧデータ（１２０）を送信するためのデータ伝送リンク（１２２）をオープンする（１１０）こと、を実行するようにプログラムされているポータブルＥＣＧデバイス（３２、１８４）。
【請求項２】 前記ワイヤレス通信インタフェース（５０）が、音声及びＥＣＧデータ（１９４）の同時伝送を受容することができるワイヤレス電話（５０、１８６）である、請求項１に記載のポータブルＥＣＧデバイス（１８４）。
【請求項３】 前記ワイヤレス通信インタフェース（５０）が、音声、映像及びＥＣＧデータの同時伝送（２７６）を受容することができる対話式ＷｅｂＴＶ機器（５８、２１０）である、請求項１に記載のポータブルＥＣＧデバイス（１８４）。
【請求項４】請求項１乃至３のいずれかに記載のポータブルＥＣＧデバイス（１８４）と、
前記ＥＣＧ信号（１９４）を公衆通信システム（ＧＰＳ）を介して前記ヘルスケア・プロバイダ（１９６）に送信する前記ワイヤレス通信インタフェース（５０）と、
前記公衆通信システム（ＧＰＳ）から前記ヘルスケア・プロバイダ（１９６）において前記ＥＣＧ信号を受信する（１２８）ためのローカル通信インタフェース（１９８、２２６）と、
前記ＥＣＧ信号（１９４）を受信しかつ該ＥＣＧ信号（１９４）を人間に識別可能な形態で提供するための、前記ローカル通信インタフェース（１９８、２２６）に接続させたローカルＥＣＧデバイスと、を備えるＥＣＧ監視システム。
【請求項５】 前記ＥＣＧモニタ（１０）が前記ＥＣＧ信号（１９４）を前記ワイヤレス通信インタフェース（５０）に送信するための赤外線送信器（６０）を含む、請求項４に記載のシステム。
【請求項６】 前記ＥＣＧ信号（１９４）が、前記ＥＣＧモニタ（１０）の前記プロセッサ（３８）で処理されかつディジタル解析（１３０）されている、請求項４又は５に記載のシステム。
【請求項７】 患者からのＥＣＧデータ（１９４）を遠隔監視する方法（１００）であって、虚血症状（１０４）を発症した患者（３２、１８０）に対して、前記ヘルスケア・プロバイダ（１９６）から遠隔使用するために請求項１乃至３のいずれかに記載のポータブルＥＣＧデバイス（１８４）を提供するステップと、
前記患者（３２、１８０）からＥＣＧ信号を収集し、ＥＣＧデータを生成する（１１８）ステップと、
前記ワイヤレス通信インタフェース（５０）から前記ヘルスケア・プロバイダ（１９６）に前記ＥＣＧデータを送信する（１２０）ステップと、
前記ヘルスケア・プロバイダ（１９０）において前記ＥＣＧデータを評価する（１３２）ステップと、
前記ＥＣＧデータの評価（１３２）に基づいて前記患者（３２、１８０）に指示（１４０、１６８）を提供するステップと、を含む方法（１００）。
【請求項８】 患者が要求した場合にＥＣＧデバイス（１８４）の使用に関する対話式遠隔支援（１４０、１６８）を提供するステップをさらに含む請求項７に記載の方法（１００）。
【請求項９】 前記評価するスッテップと前記提供するステップが他のヘルスケア・プロバイダに対するサービスとして前記ヘルスケア・プロバイダにより実施されている、請求項７に記載の方法（１００）。
【手続補正書】
【提出日】平成20年2月7日(2008.2.7)
【手続補正１】
【補正対象書類名】明細書
【補正対象項目名】特許請求の範囲
【補正方法】変更
【補正の内容】
【特許請求の範囲】
【請求項１】  病院に設置した医用装置をメンテナンスするためのメンテナンスシステムで用いられ、コンピュータに各種機能を実行させるための医用装置メンテナンス用プログラムであって、
前記医用装置の状態データを収集するデータ収集機能と、
前記データ収集機能によって収集した状態データから前記医用装置に異常が生じているか否かを判断する異常状態判断機能と、
前記異常状態判断機能によって異常と判断したときに携帯電話機を利用してサービスセンタに異常状態に関する通知を送信する異常状態通知機能と、
を実行させるための医用装置メンテナンス用プログラム。
【請求項２】  前記データ収集機能によって収集する状態データは、前記医用装置を試運転する際の日常動作確認項目に関するデータ、若しくは、前記医用装置の特定機器の状態に関するデータ、又は、前記医用装置が設置された周辺の環境状態に関するデータであることを特徴とする請求項１に記載の医用装置用プログラム。
【請求項３】  前記異常判断機能による判断は、前記日常動作確認項目に関するデータが予め定められている規格値の範囲内にあるか否かによって異常か否かを判断すること、若しくは、前記日常動作確認項目に関するデータと前日の日常動作確認項目に関するデータと比較することによって異常か否かを判断すること、又は、前記日常動作動作項目に関するデータの一定期間の変動率に基づいて異常か否かを判断することであることを特徴とする請求項１に記載の医用装置メンテナンス用プログラム。
【手続補正２】
【補正対象書類名】明細書
【補正対象項目名】０００９
【補正方法】変更
【補正の内容】
【０００９】
【課題を解決するための手段】
本発明のうち請求項１に記載された発明は、病院に設置した医用装置をメンテナンスするためのメンテナンスシステムで用いられ、コンピュータに各種機能を実行させるための医用装置メンテナンス用プログラムであって、前記医用装置の状態データを収集するデータ収集機能と、前記データ収集機能によって収集した状態データから前記医用装置に異常が生じているか否かを判断する異常状態判断機能と、前記異常状態判断機能によって異常と判断したときに携帯電話機を利用してサービスセンタに異常状態に関する通知を送信する異常状態通知機能と、を実行させるための医用装置メンテナンス用プログラムである。
【手続補正３】
【補正対象書類名】明細書
【補正対象項目名】００１４
【補正方法】変更
【補正の内容】
【００１４】
病院（Ａ）では、複数の医用装置（Ａ１，Ａ２，…Ａｎ）がそれぞれハブ（Ｈｕｂ）２ａを介してＳｅｒｖｉｃｅ  Ｐｒｏｃｅｓｓｏｒ（以下、「ＳＰ」という。）３ａと接続されている。このＳＰ３ａは、接続ケーブル４ａを介して簡易型携帯電話機（ＰＨＳ（Ｐｅｒｓｏｎａｌ  Ｈａｎｄｙ−ｐｈｏｎｅ  Ｓｙｓｔｅｍ）電話機）と接続されている。ここで、ＰＨＳ電話機には、ディジタルコードレス電話機（親機、子機）を含む。また、送信バースト出力が８０ミリワット（平均出力１０ミリワット）以下のものをいう。このＰＨＳ電話機５ａにより、最寄の基地局（ここでは、基地局６ａ）を介してＰＨＳ電話網６及びＩＳＤＮ（Ｉｎｔｅｇｒａｔｅｄ  Ｓｅｒｖｉｃｅｓ  Ｄｉｇｉｔａｌ  Ｎｅｔｗｏｒｋ）電話網と接続可能となっている。
【手続補正４】
【補正対象書類名】明細書
【補正対象項目名】００５４
【補正方法】変更
【補正の内容】
【００５４】
【発明の効果】
以上説明したように、本発明の医用装置メンテナンス用プログラムをコンピュータで実行させれば、病院側から携帯電話機を利用してサービスセンタに医用装置の異常を通知することができるため、医用装置の部品の発注をできるだけ早くし、又は、部品の発注が不要な場合でも、できるだけ早く医用装置の異常を修復することができる。特に、携帯電話機によるデータ通信を利用して、異常状態を知らせることができるため、病院で電話回線の配線工事を行うよりも、迅速かつ安価に通信ネットワークを構築することができる。
【手続補正書】
【提出日】平成20年1月4日(2008.1.4)
【手続補正１】
【補正対象書類名】明細書
【補正対象項目名】００４０
【補正方法】変更
【補正の内容】
【００４０】
実施例３．D3MaTの遺伝子断片の増幅
アントシアニンアシル基転移酵素およびそのホモログのアミノ酸配列はすでにいくつか報告されている（特願平8−046534）。それらの配列の比較により、
配列１：Asn-Tyr-Phe-Gly-Asn-Cys（配列番号：５）と、
配列２：Asp-Phe-Gly-Trp-Gly-Lys（配列番号：６）が保存されていることに着目した。
【手続補正書】
【提出日】平成20年3月27日(2008.3.27)
【手続補正１】
【補正対象書類名】明細書
【補正対象項目名】特許請求の範囲
【補正方法】変更
【補正の内容】
【特許請求の範囲】
【請求項１】 （ｉ）上部基板と、（ii）一方の表面上に加熱素子及びアドレス電極のアレイが形成された下部基板と、を備えたサーマルインクジェットプリントヘッドであって、前記下部基板は、その表面上並びに加熱素子及びアドレス電極の上に付着され、貫通する凹部を形成して加熱素子及びアドレス電極の末端部を露出させるためにパターニングされた絶縁層を有し、前記上部及び下部基板は互いに接合されて、上部基板、下部基板上の絶縁層、及び下部基板中の加熱素子によって画定された液滴放出ノズルを有するサーマルインクジェットプリントヘッドを形成し、前記上部基板及び前記絶縁層のうちの少なくとも１つは、モノマー繰返し単位にグリシジルエーテル官能基を有するフェノールノボラック樹脂である前駆体ポリマーを架橋させることによって形成された架橋ポリマーを含むサーマルインクジェットプリントヘッド。
【請求項２】 前記絶縁層は架橋ポリマーを含む請求項１に記載のサーマルインクジェットプリントヘッド。
【請求項３】 前記前駆体ポリマ−は、
【化１】
2001277517.tif 000001
【化２】
2001277517.tif 000002
【化３】
2001277517.tif 000003
これらのランダム構造、及びこれらの分枝構造などから成る群より選択され、各例において、ｎは繰返しモノマー単位の平均数を表す請求項１に記載のサーマルインクジェットプリントヘッド。
【請求項４】 前記ノズルは５ピコリットル以下の体積の液滴を放出することができる請求項１に記載のサーマルインクジェットプリントヘッド。
【請求項５】 前記ノズルは２０ピコリットル以上の体積の液滴を放出することができる請求項１に記載のサーマルインクジェットプリントヘッド。
【請求項６】 前記絶縁層は４０ミクロンまでの厚さを有する請求項１に記載のサーマルインクジェットプリントヘッド。
【請求項７】 絶縁層を貫通してパターニングされた前記凹部は少なくとも１：１のアスペクト比を有する請求項６に記載のサーマルインクジェットプリントヘッド。
【請求項８】 前記ノズルは、少なくとも５ミクロンの幅、２５ミクロン以下の幅、少なくとも５ミクロンの深さ、及び２５ミクロン以下の深さを有する請求項１に記載のサーマルインクジェットプリントヘッド。
【手続補正書】
【提出日】平成20年2月15日(2008.2.15)
【手続補正１】
【補正対象書類名】明細書
【補正対象項目名】特許請求の範囲
【補正方法】変更
【補正の内容】
【特許請求の範囲】
【請求項１】 第１表面（２２）及び外側コーナ部（２８）で前記第１表面（２２）と交差する第２表面（２６）を有する金属構成部品（２０）と前記構成部品（２０）の前記コーナ部（２８）に配置されたコーナマスク（１０）とを有する組み合わせであって、
前記マスク（１０）はピーニング加工による損傷に抵抗性の材料で作られ、前記マスク（１０）は前記コーナ部（２８）をピーニング加工中の損傷から守るために前記コーナ部（２８）を覆うような寸法と形状に作られ、また前記マスク（１０）は、前記マスク（１０）が前記構成部品（２０）の前記コーナ部（２８）に配置されるときに、前記第１表面（２２）の少なくとも１部分及び前記第２表面（２６）の少なくとも１部分がピーニング加工されることが可能になるような寸法と形状に作られる
ことを特徴とする組合せ。
【請求項２】 前記マスク（１０）は、前記コーナ部（２８）をピーニング加工することができるように構成部品（２０）のコーナ部（２８）から取外しできることを特徴とする請求項１に記載の組み合わせ。
【請求項３】 前記第１表面（２２）は、前記構成部品(２０)中に開口（２４）を画定することを特徴とする請求項１に記載の組み合わせ。
【請求項４】 前記コーナ部（２８）はコーナ部処理を含み、前記マスク（１０）は前記コーナ部処理をピーニング加工中の損傷から守るためにコーナ部処理を覆うような寸法と形状に作られることを特徴とする請求項１に記載の組み合わせ。
【請求項５】 前記マスク（１０）が、
ピーニング加工中に前記コーナ部（２８）を覆うために前記コーナ部（２８）に隣接する、前記開口（２４）に挿入するのに適した寸法と形状に作られたプラグ（１２）と、
ピーニング加工中に前記コーナ部（２８）を覆いそれによって前記コーナ部（２８）がピーニング加工されるのを防止するために前記開口（２４）の少なくとも１部分を取囲むような寸法と形状に作られた、前記プラグ（１２）の少なくとも１部分を取囲むリム（１４）と、
を含むことを特徴とする請求項３に記載の組み合わせ。
【請求項６】 前記プラグ（１２）は、前記第１表面（２２）と摩擦係合するような寸法に作られることを特徴とする請求項５に記載のマスク（１０）。
【請求項７】 前記プラグ（１２）は、前記構成部品（２０）のコーナ部（２８）のコーナ部処理を覆うように選定された長さを有することを特徴とする請求項５に記載のマスク（１０）。
【請求項８】 前記プラグ（１２）は長さ（４０）を有し、前記リム（１４）は前記長さ（４０）に概して等しい幅（４２）を有することを特徴とする請求項５に記載のマスク（１０）。
【請求項９】 金属構成部品（２０）中に開口（２４）を画定する第１表面（２２）及びコーナ部（２８）で前記構成部品（２０）の前記第１表面（２２）と交差する第２表面（２６）を有する金属構成部品（２０）をピーニング加工する方法であって、
前記構成部品（２０）の前記コーナ部（２８）を覆ってマスク（１０）を配置する段階と、
前記マスキングされた構成部品（２０）の前記第１表面（２２）を第１の強度でピーニング加工する段階と、
前記マスキングされた構成部品（２０）の前記第２表面（２６）を第２の強度でピーニング加工する段階と、
前記構成部品（２０）の前記コーナ部（２８）から前記マスク（１０）を取外す段階と、
前記構成部品（２０）の前記コーナ部（２８）を前記第１の強度及び前記第２の強度よりも小さい第３の強度でピーニング加工する段階と、
を含むことを特徴とする方法。
【請求項１０】 前記第２の強度は、前記第１の強度に実質的に等しいことを特徴とする請求項９に記載の方法。
【請求項１１】 前記第３の強度は、ピーニング加工からの損傷が生じるしきい値より小さいことを特徴とする請求項９に記載の方法。
【手続補正書】
【提出日】平成20年8月28日(2008.8.28)
【手続補正１】
【補正対象書類名】明細書
【補正対象項目名】特許請求の範囲
【補正方法】変更
【補正の内容】
【特許請求の範囲】
【請求項１】ポリビニルピロリドン、ポリアクリルアミド、ポリエチレンイミン、ポリビニルピリジン、及びそれらの共重合体から選ばれる一種以上の樹脂（１）０．５〜１０重量部存在下、分子中に第３級アミノ基及び／又は第４級アンモニウム基を有するラジカル重合性モノマー（Ａ）、及びこれらと共重合可能なラジカル重合性モノマー（Ｂ）を含むラジカル重合性モノマー組成物１００重量部を重合して得られる共重合体（ａ）を含むカチオン性ラテックスであって、該カチオン性ラテックスがコア部とシェル部を有する多層構造ラテックスであり、かつシェル部が共重合体（ａ）を含み、コア部がノニオン性ラジカル重合性モノマー、及び架橋性ラジカル重合性モノマーを含むラジカル重合性モノマー組成物を重合して得られる共重合体（ｂ）を含み、かつ粒子径が５０〜３００nmであることを特徴とするインクジェット記録用カチオン性ラテックス。
【請求項２】モノマー（Ｂ）を含むラジカル重合性モノマー組成物が少なくとも（メタ）アクリルアミドを含むことを特徴とする請求項１に記載のインクジェット記録用カチオン性ラテックス。
【請求項３】コア部のガラス転移温度Ｔｇ１が１０〜６０℃であることを特徴とする請求項１〜３に記載のインクジェット記録用カチオン性ラテックス。
【請求項４】シェル部のガラス転移温度Ｔｇ２が−３０〜２０℃であることを特徴とする請求項１〜３に記載のインクジェット記録用カチオン性ラテックス。
【請求項５】請求項１〜４のいずれかに記載のカチオン性ラテックス、及び無機充填剤を含むことを特徴とするインクジェット記録用バインダー組成物。
【請求項６】無機充填剤が非晶質合成シリカであることを特徴とする請求項５に記載のインクジェット記録用バインダー組成物。
【請求項７】水溶性金属化合物を無機充填剤１００ｇに対し０．１ｍｍｏｌ〜１００ｍｍｏｌ含むことを特徴とする請求項５〜６に記載のインクジェット記録用バインダー組成物